(57)【要約】【課題】ラップラウンド型段ボール箱を提供する。【解決手段】本発明のラップラウンド型段ボール箱は、図４に示す段ボール板紙２７から組み立てられたものである。段ボール板紙２７において、天板２８、側板２９、底板３０及び側板３１は順次連繋されており、天板２８には上フラップ３２、上フラップ３３及び接続用糊代３４が設けられ、側板２９には内フラップ３５及び内フラップ３６が設けられ、底板３０には下フラップ３７及び下フラップ３８が設けられ、側板３１には内フラップ３９及び内フラップ４０が設けられている。天板２８には開封用切断線４１（例えば、ミシン目）が設けられている。本発明のラップラウンド型段ボール箱では、辺ｘ’にも開封用切断線４１が設けられているので、開封時に天板２８全体を開封することができ、農薬収納袋などの梱包物を非常に取り出し易い。【選択図】図４
2007204146.tif 000002
【特許請求の範囲】
【請求項１】
天板に開封用切断線が形成されており、
前記開封用切断線は、前記天板の上下対辺に沿って形成された一対の開封用上下切断線と、前記天板の左右対辺に沿って形成された一対の開封用左右切断線と、該一対の開封用左右切断線と連続して形成された一本の開封用開始切断線とからなり、
前記一対の開封用上下切断線は、前記天板の上下対辺の近傍に形成されており、前記一対の開封用左右切断線は、前記天板の中央部に且つ前記一対の開封用上下切断線と連続して所定間隔で形成されてなる、ラップラウンド型段ボール箱であって、
前記一対の開封用上下切断線の端部と、前記一対の上下対辺の端部とを連続する開封用端部切断線が形成されてなることを特徴とするラップラウンド型段ボール箱。
【請求項２】
前記開封用端部切断線が前記左右対辺に形成されてなることを特徴とする請求項１記載のラップラウンド型段ボール箱。
【請求項３】
前記開封用端部切断線が前記左右対辺近傍に形成されてなることを特徴とする請求項１記載のラップラウンド型段ボール箱。
【請求項４】
請求項１記載のラップラウンド型段ボール箱において、前記上下対辺と前記開封用上下切断線との距離ｍと、前記上下対辺間の距離又は前記左右対辺の長さＭとの比率が、下記式（１）：
ｍ／Ｍ＝１／２０〜１／４    （１）
で表わされることを特徴とするラップラウンド型段ボール箱。
【請求項５】
請求項１記載のラップラウンド型段ボール箱において、前記上下対辺の長さＮと、前記開封用上下切断線の長さｎとの比率が、下記式（２）：
ｎ／Ｎ≧３／４              （２）
で表わされることを特徴とするラップラウンド型段ボール箱。
【請求項６】
４個の農薬収納袋を梱包するための、請求項１ないし５の何れか一項記載のラップラウンド型段ボール箱。
【発明の詳細な説明】
【技術分野】
【０００１】
本発明は段ボール箱、更に詳しくは、ラップラウンド型段ボール箱であって、開封時に天板（上面）に未開封部を残すことなく天板全体を開封し開口部とすることができ、段ボール箱内部の梱包物を容易に外部に取り出すことができる段ボール箱に関するものである。
【背景技術】
【０００２】
段ボール箱は種々の物品を搬送したり、整理・保管する目的のために広く使用されている。特に、段ボール板紙から組み立てられるラップラウンド型段ボール箱は、段ボール板紙からの段ボール箱の組み立てと、段ボール箱内への物品の梱包とを同時に行うことができ、物品の梱包の完全自動化が可能となるので、利点が多い。
【０００３】
従来、ラップラウンド型段ボール箱に関する多くの提案が成されている。例えば、特開２００４−５９０７３号明細書（特許文献１）には、天板に切取部が形成され、開梱時に該切取部を除去し、次いで天板全体を開封することができるラップラウンドケースが開示されている。また、特開２００５−１３２３７１号明細書（特許文献２）には、底板に切取部が形成され、開梱時に該切取部を除去し、次いでケース全体を二つ割りにすることができるラップラウンドケースが開示されている。
【特許文献１】特開２００４−５９０７３号明細書
【特許文献２】特開２００５−１３２３７１号明細書
【発明の開示】
【発明が解決しようとする課題】
【０００４】
除草剤などの農薬を梱包するためのラップラウンド型段ボール箱として、従来、図７に示す段ボール箱１が使用されていた。
段ボール箱１は、図１０に示す段ボール板紙２から組み立てられたものである。段ボール板紙２において、天板３、側板４、底板５及び側板６は順次連繋されており、また、天板３には上フラップ７、上フラップ８及び接続用糊代９が設けられ、側板４には内フラップ１０及び内フラップ１１が設けられ、底板５には下フラップ１２及び下フラップ１３が設けられ、側板６には内フラップ１４及び内フラップ１５が設けられている。更に、天板３には開封用切断線１６（例えば、ミシン目など）が設けられている。
【０００５】
従来使用されていた段ボール箱１は、梱包する物品によっては、例えば図７に示すように４個の農薬収納袋１７を梱包した場合に、不具合が生じることが判った。
以下、図７ないし図９に基づいて、段ボール箱１から農薬収納袋１７を取り出す場合の手順を説明する。
【０００６】
図７の段ボール箱１には切取部１８が設けられている。切取部１８は周囲に開封用切断線１６を有するので、図８に示すように、天板３から容易に切り取ることができる。
即ち、図８（ａ）に示すように、切取部１８の中央を指で下方に押圧して開口部を設け、次いで左辺部及び／又は右辺部を指で摘んで上方に引き上げることにより切取部１８全体を切り取る。その後、図９に示すように、天板３の残部を図中上方且つ左右に押し開けることにより、天板３を開封することができる。
【０００７】
ところが、図８（ｂ）に示すように、辺ｘには開封用切断線１６が設けられていないので、図９において、天板３の両端の縁部１９は未開封状態で残る。従って、図９において、段ボール箱１から４個の農薬収納袋１７を取り出そうとすると、農薬収納袋１７の周辺
縁部が天板３の縁部１９に接触し、農薬収納袋１７は非常に取り出し難い。
【０００８】
図８（ｂ）において、開封用切断線１６を辺ｙに重ねて設ければ縁部１９が存在せず、図９において、天板３全体を開封することができる。しかしながら、開封用切断線１６を辺ｙに重ねて設ければ、段ボール箱１の天板３の強度（天板３の辺部の強度）が低下し、物品を梱包した段ボール箱１を複数個積み重ねた場合、辺ｙが破断する危険がある。それ故、物品を梱包した段ボール箱１を複数個積み重ねた場合の段ボール箱１の強度を確保するため、開封用切断線１６を辺ｙに重ねて設けることはできない。
【０００９】
本発明者らは、従来使用されていた段ボール箱の前記欠点を克服すべく鋭意研究した結果、段ボール箱の天板に適切に開封用切断線を設けることにより、物品を梱包した段ボール箱を複数個積み重ねた場合でも充分な強度を有すると共に、開封時に天板全体を開封することが可能で、段ボール箱からの物品の取り出しが容易なラップラウンド型段ボール箱を完成した。
【課題を解決するための手段】
【００１０】
即ち、本発明のラップラウンド型段ボール箱は、
天板に開封用切断線が形成されており、
前記開封用切断線は、前記天板の上下対辺に沿って形成された一対の開封用上下切断線と、前記天板の左右対辺に沿って形成された一対の開封用左右切断線と、該一対の開封用左右切断線と連続して形成された一本の開封用開始切断線とからなり、
前記一対の開封用上下切断線は、前記天板の上下対辺の近傍に形成されており、前記一対の開封用左右切断線は、前記天板の中央部に且つ前記一対の開封用上下切断線と連続して所定間隔で形成されてなる、ラップラウンド型段ボール箱であって、
前記一対の開封用上下切断線の端部と、前記一対の上下対辺の端部とを連続する開封用端部切断線が形成されてなることを特徴とする。
本発明のラップラウンド型段ボール箱において、前記開封用端部切断線は、例えば、前記左右対辺に形成されてなるか、又は、前記左右対辺近傍に形成されてなる。
【発明の効果】
【００１１】
本発明のラップラウンド型段ボール箱は、開封時に天板に未開封部を残すことなく天板全体を開封し開口部とすることができ、段ボール箱内部の梱包物を容易に外部に取り出すことができる。
また、本発明のラップラウンド型段ボール箱は、物品を梱包した段ボール箱を複数個積み重ねた場合でも実用上充分な強度を有し、種々の大きさに形成し得るので、適用範囲が広い。
【発明を実施するための最良の形態】
【００１２】
基本原理の説明
以下、図６に基づいて、本発明の基本原理を説明する。図６は、本発明のラップラウンド型段ボール箱の天板２０を示す平面図である。説明の便宜上、図６において、上下左右はそれぞれ、図中の矢印方向を示すものとする。
【００１３】
天板２０には開封用切断線２１（切断線全体を示す；例えば、ミシン目である）が設けられ、また、天板２０の上下には縁部２２及び縁部２３が設けられている。
縁部２２の周辺に設けられた開封用切断線のうち、左右方向のものを開封用切断線２４と、上下方向又は上下左右方向のものを開封用切断線２５とする。
本発明のラップラウンド型段ボール箱において、縁部２２及び縁部２３の幅（上下対辺と開封用上下切断線との距離ｍ）は、狭過ぎると縁部２２及び縁部２３の強度（特に、物品を梱包した段ボール箱を複数個積み重ねた場合の強度）が充分でなく、反対に、広過ぎ
ると天板が開封し難くなる。
従って、縁部２２及び縁部２３の幅には最適範囲が存在する。
即ち、本発明のラップラウンド型段ボール箱において、上下対辺と開封用上下切断線との距離ｍと、前記上下対辺間の距離又は前記左右対辺の長さＭとの比率は、下記式（１）：
ｍ／Ｍ＝１／２０〜１／４    （１）
で表わされるものが好ましく、ｍ／Ｍ＝１／１５〜１／６で表わされるものがより好ましい。
【００１４】
開封用切断線２４は例えば直線状であり、直線状の開封用切断線２４の長さｎは、縁部２２の長手方向（図中、左右方向）の長さＮに対して、ｎ≦Ｎなる関係にある。開封用切断線２５は例えば直線状であり、図６において、Ａで表わされる場合（開封用切断線２５は左右対辺上に形成される；この場合、開封用切断線２４の長さｎ＝Ｎである）と、Ｂ又はＣで表わされる場合（図６ではＢの場合のｎを示す；開封用切断線２５は縁部２２の中央よりの部分に長手方向に沿って形成される；この場合、開封用切断線２４の長さｎ＜Ｎである）とがある。
開封用切断線２５がＡで表わされる場合、開封用切断線２５の長さはｍである。ｍとＭとの比率を上記式（１）のように設定すると、縁部２２が開封可能になると共に、段ボール箱の左右対辺部分の強度を充分に確保することができるので好ましい。
開封用切断線２５がＢで表わされる場合、開封用切断線２５が左右対辺上に存在しないので、開封用切断線２５がＡで表わされる場合に比較して、段ボール箱の左右対辺部分の強度の低下をより少なくすることができる。
しかしながら、開封用切断線２５がＣで表わされる場合、縁部２２の上辺近傍に長い開封用切断線２５が設けられるので、段ボール箱の縁部２２の強度が低下し易い。
従って、上下対辺の長さＮと、開封用上下切断線の長さｎとの比率には最適範囲が存在する。
即ち、本発明のラップラウンド型段ボール箱において、上下対辺の長さＮと、開封用上下切断線の長さｎとの比率は、下記式（２）：
ｎ／Ｎ≧３／４              （２）
で表わされるものが好ましい。
【００１５】
本発明のラップラウンド型段ボール箱に梱包するものは限定されない。本発明のラップラウンド型段ボール箱は、特に、４個の農薬収納袋を梱包するために適する。
【００１６】
本発明のラップラウンド型段ボール箱の大きさは、梱包ものの種類に応じて適宜選択する。また、段ボール板紙の種類、開封用切断線の種類（例えば、ミシン目など）等は、ラップラウンド型段ボール箱において慣用のものを使用することができる。
【実施例】
【００１７】
以下に示す実施例において、本発明を具体的且つ更に詳細に説明する。下記実施例は本発明の説明のためのみのものであり、これらの実施例により本発明の技術的範囲が限定されるものではない。
【００１８】
実施例１
図１に本発明の実施例１の段ボール箱２６の斜視図を示す。段ボール箱２６は、図４に示す段ボール板紙２７から組み立てられたものである。段ボール板紙２７において、天板
２８、側板２９、底板３０及び側板３１は順次連繋されており、また、天板２８には上フラップ３２、上フラップ３３及び接続用糊代３４が設けられ、側板２９には内フラップ３５及び内フラップ３６が設けられ、底板３０には下フラップ３７及び下フラップ３８が設けられ、側板３１には内フラップ３９及び内フラップ４０が設けられている。更に、天板２８には開封用切断線４１（例えば、ミシン目など）が設けられている。
図４に示す段ボール板紙２７には、図１０に示す段ボール板紙２と異なり、辺ｘ’（四カ所）にも開封用切断線４１が設けられているのが判る。
【００１９】
図１に示す本発明の段ボール箱２６は、図７に示す従来使用されていた段ボール箱１と異なり、梱包する物品によっても、例えば図１に示すように４個の農薬収納袋４２を梱包した場合に、不具合が生じることが判った。
以下、図１ないし図３に基づいて、段ボール箱２６から農薬収納袋４２を取り出す場合の手順を説明する。
【００２０】
図１の段ボール箱１には切取部４３が設けられている。切取部４３は周囲に開封用切断線４１を有するので、図２に示すように、天板２８から容易に切り取ることができる。
即ち、図２（ａ）に示すように、切取部４３の中央を指で下方に押圧して開口部を設け、次いで左辺部及び／又は右辺部を指で摘んで上方に引き上げることにより切取部４３全体を切り取る。その後、図３に示すように、天板２８の残部を図中上方且つ左右に押し開けることにより、天板２８を開封することができる。
【００２１】
図２（ｂ）に示すように、図８（ｂ）と異なり、辺ｘ’にも開封用切断線４１が設けられているので、図３において、天板２８の両端の縁部４４も開封することができる。従って、図３において、段ボール箱２７から４個の農薬収納袋４２を取り出すとき、農薬収納袋４２の周辺縁部は天板２８の縁部４４に接触せず、農薬収納袋４２は非常に取り出し易い。
【００２２】
実施例２及び実施例３
図５（ａ）に本発明の実施例２のラップラウンド型段ボール箱の天板４５の平面図を、図５（ｂ）に本発明の実施例３のラップラウンド型段ボール箱の天板４６の平面図を、それぞれ示す。
天板４５には開封用切断線４７が、天板４６には開封用切断線４８が、それぞれ設けられている。
開封用切断線４７は、図６の開封用切断線２５におけるＢの場合に対応するものであり、傾斜切断線部４９を有し、図２（実施例１）の開封用切断線４１と異なり、辺ｘ’に切断線が設けられていないので、天板４５の左右対辺部分の強度の低下をより少なくすることができる。
開封用切断線４８は、湾曲切断線部５０を有する。湾曲切断線部５０は傾斜切断線部４９に比較して切断線の角度の変化が穏やかなので、湾曲切断線部５０における開封時の天板４６の破損のおそれをより少なくすることができる。
【図面の簡単な説明】
【００２３】
【図１】図１は、本発明の実施例１のラップラウンド型段ボール箱に農薬収納袋４個を梱包した状態を示す斜視図である。
【図２】図２は、図１の段ボール箱において、開封開始部を切り取り、上方に取り出した状態を示す斜視図であり、図２（ａ）は段ボール箱全体を示す図であり、そして図２（ｂ）は図２（ａ）の段ボール箱の天板の４隅部分の拡大図である。
【図３】図３は、図１の段ボール箱の天板を開封した状態を示す斜視図である。
【図４】図４は、図１の段ボール箱の段ボール箱板紙の平面図である。
【図５】図５は、本発明の実施例２及び実施例３の段ボール箱の天板の平面図である。
【図６】図６は、本発明のラップラウンド型段ボール箱の基本原理を説明するための、天板の平面図である。
【図７】図７は、従来使用されていたラップラウンド型段ボール箱に４個の農薬収納袋を梱包した状態を示す斜視図である。
【図８】図８は、図７の段ボール箱において、開封開始部を切り取り、上方に取り出した状態を示す斜視図であり、図８（ａ）は段ボール箱全体を示す図であり、そして図８（ｂ）は図８（ａ）の段ボール箱の天板の４隅部分の拡大図である。
【図９】図９は、図７の段ボール箱の天板を開封した状態を示す斜視図である。
【図１０】図１０は、図７の段ボール箱の段ボール箱板紙の平面図である。
【符号の説明】
【００２４】
１，２６：段ボール箱
２，２７：段ボール箱板紙
３，２８，４５，４６：天板
４，６，２９，３１：側板
５，３０：底板
７，８，３２，３３：上フラップ
９，３４：接続用糊代
１０，１１，１４，１５，３５，３６，３９，４０：内フラップ
１２，１３，３７，３８：下フラップ
１６，２１，２４，２５，４１，４７，４８：開封用切断線
１７，４２：農薬収納袋
１８，４３：切取部
１９，２２，２３，４４：縁部
２０：天板
４９：傾斜切断線部
５０：湾曲切断線部
ｘ，ｘ’，ｙ：辺部
【図１】
2007204146.tif 000003
【図２】
2007204146.tif 000004
【図３】
2007204146.tif 000005
【図４】
2007204146.tif 000006
【図５】
2007204146.tif 000007
【図６】
2007204146.tif 000008
【図７】
2007204146.tif 000009
【図８】
2007204146.tif 000010
【図９】
2007204146.tif 000011
【図１０】
2007204146.tif 000012